(57)【要約】【課題】  ケーブル終端接続部が水平方向に横設された状態で使用されても、電界緩和用部材が損傷せず、絶縁破壊に至るのを防止し、長期間安定して使用することができるケーブル終端接続部を提供する。【解決手段】  ケーブル端部１のケーブル絶縁体２の外周に、エンボスプラスチックフィルムを巻回して形成されたストレスコーン又はコンデンサコーンからなる補強絶縁体６と、その外周に装着されるエポキシ樹脂製のベルマウス７とを備えた電界緩和用部材３が設けられ、電界緩和用部材３のベルマウス７を覆うように碍管４が被せられ、碍管４内に絶縁油５が充填されているケーブル終端接続部において、前記電界緩和用部材３と碍管４との間にケーブル端部１の垂れ下がりを防止するエポキシ樹脂製の円形の筒状部材からなるスペーサ１４が設けられている。【選択図】        図１
2005117802.tif 000002
【特許請求の範囲】
【請求項１】
ケーブル端部のケーブル絶縁体の外周に電界緩和用部材が設けられ、電界緩和用部材を覆うように碍管が被せられ、碍管内に絶縁油又はガスが充填されているケーブル終端接続部において、前記電界緩和用部材と碍管との間にケーブル端部の垂れ下がりを防止するスペーサが設けられていることを特徴とするケーブル終端接続部。
【請求項２】
前記スペーサがエポキシ樹脂製の筒状部材からなることを特徴とする請求項１記載のケーブル終端接続部。
【発明の詳細な説明】
【技術分野】
【０００１】
本発明はＣＶケーブル等の高電圧用ケーブルの終端を絶縁して接続するのに有効なケーブル終端接続部に関するものである。
【背景技術】
【０００２】
従来、この種のケーブル終端接続部は図２に示すような構成になっている。即ち、ケーブル端部１のケーブル絶縁体２の外周に電界緩和用部材３が設けられ、電界緩和用部材３を覆うように磁器製又はエポキシ樹脂製の碍管４が被せられ、碍管４内に絶縁油５が充填される。電界緩和用部材３は、図示のものでは、例えば、ポリエチレン又はポリエステル等からなるエンボスプラスチックフィルムを巻回し、その過程で必要に応じて所定位置に金属箔を挿入して形成されたストレスコーン又はコンデンサコーンからなる補強絶縁体６と、その外周に装着されるエポキシ樹脂製のベルマウス７とを備え、ベルマウス７及び補強絶縁体６の基部側の外周にはケーブル端部１の外部半導電層（図示せず）と接続される遮蔽層８が設けられる。このケーブル終端接続部は主にケース、フレーム等の取付部材（図示せず）に垂直方向に立設されて使用される（特許文献１参照）。なお、ケーブル終端接続部の碍管４内にガス（例えば、ＳＦ６ガス、窒素ガス等の不活性ガス）が充填されたものもある（特許文献２参照）。
【０００３】
【特許文献１】特開昭６２−７３２１号公報（第１頁右欄第１行目乃至第２頁左上欄第１４行目及び第３図）
【特許文献２】特開昭６１−１７３６２０号公報（特許請求の範囲及び第１図）
【発明の開示】
【発明が解決しようとする課題】
【０００４】
ケーブル終端接続部は大部分が垂直上下方向に立設されているが、現地のケーブル布設状態やケーブル終端接続部の取付け条件等により、ケーブル終端接続部を水平方向（傾斜方向を含む。以下同じ）に横設されて使用される場合がある。
【０００５】
このような場合、ケーブル終端接続部が横設された状態で使用されると、碍管４内において、ケーブル端部１がケーブル端部１の自重及び電界緩和用部材３の重量で垂れ下がり、ケーブル絶縁体２の外周から半径方向の外側に突出している電界緩和用部材３の外面が碍管４の内面に接触して、電界緩和用部材３がケーブル端部１の伸縮により損傷し、ケーブル終端接続部が絶縁破壊に至る恐れがあった。
【０００６】
本発明の目的は、ケーブル終端接続部が水平方向に横設された状態で使用されても、電界緩和用部材が損傷せず、絶縁破壊に至るのを防止し、長期間安定して使用することができるケーブル終端接続部を提供することにある。
【課題を解決するための手段】
【０００７】
上記目的を達成するために、本発明の請求項１に記載された発明は、ケーブル端部のケーブル絶縁体の外周に電界緩和用部材が設けられ、電界緩和用部材を覆うように碍管が被せられ、碍管内に絶縁油又はガスが充填されているケーブル終端接続部において、前記電界緩和用部材と碍管との間にケーブル端部の垂れ下がりを防止するスペーサが設けられていることを特徴とするものである。
【０００８】
本発明の請求項２に記載された発明は、請求項１記載のケーブル終端接続部において、前記スペーサがエポキシ樹脂製の筒状部材からなることを特徴とするものである。
【発明の効果】
【０００９】
本発明の請求項１に記載されたケーブル終端接続部によると、ケーブル終端接続部が水平方向に横設される場合にも、前記スペーサにより、碍管内において、ケーブル端部がその自重及び電界緩和用部材の重量で下方に垂れ下がるのが拘束され、ケーブル端部の中心軸が碍管の中心軸とほぼ同軸状に維持（芯出し）される。従って、電界緩和用部材の外面が碍管の内面にじかに接触せず、電界緩和用部材がケーブル端部の伸縮によって損傷しなくなり、ケーブル終端接続部が絶縁破壊に至るのを防止し、これを長期間安定して使用することができる。
【００１０】
本発明の請求項２に記載されたケーブル終端接続部によると、スペーサの機械的強度が強くなるため、ケーブル終端接続部が水平方向に横設されて、スペーサにケーブル端部の自重及び電界緩和用部材の重量が加わっても、スペーサが変形、座屈、割れ等の損傷を生じることが少なく、また、電気的特性に優れているため、接続部の耐電圧特性、電界緩和特性等に悪影響を及ぼすことがなく、ケーブル終端接続部の長期品質を保証することができる。また、ケーブル終端接続部の周方向のどの部位が下方に位置しても、ケーブル端部の中心軸が碍管の中心軸とほぼ同軸状に維持され、ケーブル端部の垂れ下がりを防止することができるので、ケーブル終端接続部の施工が容易になる。
【発明を実施するための最良の形態】
【００１１】
次に、本発明の最良の実施形態を図面により詳細に説明する。図１はＣＶケーブルの終端を絶縁して接続するケーブル終端接続部の一実施形態を示す上半部断面説明図である。本図において、従来のケーブル終端接続部と同一構成の部品には同一符号を付してある。
【００１２】
このケーブル終端接続部は、水平方向に配置されるケーブル端部１のケーブル絶縁体２の外周に電界緩和用部材３が設けられ、更に、ケーブル絶縁体２の外周に電界緩和用部材３を覆うように磁器製又はエポキシ樹脂製の碍管４が被せられ、碍管４内にシリコーン油等の絶縁油５が充填される。
【００１３】
電界緩和用部材３は、図示のものでは、例えば、ポリエチレン又はポリエステル等からなるエンボスプラスチックフィルムを巻回し、その過程で必要に応じて所定位置に金属箔を挿入して形成されたストレスコーン又はコンデンサコーンからなる補強絶縁体６と、その外周に装着されるエポキシ樹脂製のベルマウス７とを備え、ベルマウス７及び補強絶縁体６の基部側の外周にはケーブル端部１の外部半導電層９と接続される遮蔽層８が設けられる。
【００１４】
ケーブル端部１の導体露出部１０は碍管４の先端部から突出された導体引出棒１１の基端部に圧縮等により接続される。碍管４はその基端部がアダプタ１２を介してケース、フレーム等の取付部材１３に水平方向に固定される。これによりケーブル終端接続部が水平方向に横設される。
【００１５】
１４は前記電界緩和用部材３のベルマウス７と碍管４の基端部側との間に設けられ、水平方向に配置されたケーブル端部１の垂れ下がりを防止し、芯出しを行うスペーサである。このスペーサ１４は、本実施形態では、樹脂成形加工により形成されたエポキシ樹脂製の円形の筒状部材からなり、予め碍管４の基端部側の内周面に挿入され、必要に応じて絶縁性の接着材等により貼着され、入口端が碍管４側に鍔状に張り出して碍管４の基端部に係止されている。
【００１６】
スペーサ１４はエポキシ樹脂製のほかに、例えば、ポリエチレンフィルムを巻回して積層等させることにより形成されたものでもよい。即ち、ある程度の絶縁特性を有し、且つ、スペーサ的役割を果たすことができる機械的強度を有するものであれば、形状、材質は問わない。従って、スペーサ１４は筒状部材でなく、半円弧状、扇形弧状等の形状に形成され、ケーブル端部１の垂れ下がりを防止するためにケーブル端部１の下方に設けられるようにしてもよい。
【００１７】
スペーサ１４は種々の構成のものが使用可能であるが、前記したようにエポキシ樹脂製の筒状部材からなると、スペーサ１４の機械的強度が強くなるため、ケーブル終端接続部が水平方向に横設されて、スペーサ１４にケーブル端部１の自重及び電界緩和用部材３の重量が加わっても、スペーサ１４が変形、座屈、割れ等の損傷を生じることが少なく、また、電気的特性に優れているため、接続部の耐電圧特性、電界緩和特性等に悪影響を及ぼすことがなく、ケーブル終端接続部の長期品質を保証することができる。また、ケーブル終端接続部の周方向のどの部位が下方に位置しても、ケーブル端部１の中心軸が碍管４の中心軸とほぼ同軸状に維持され、ケーブル端部１の垂れ下がりを防止することができるので、ケーブル終端接続部の施工が容易になる。
【００１８】
なお、１５は碍管４の先端部側に設けられたシールドリング、１６は碍管４の基端部側に設けられたシールドリングである。また、１７はアダプタ１２に連結銅管１８及び絶縁筒１９を介して接続されたケーブル保護銅管であり、連結銅管１８を介してケーブル端部１の波付きアルミニウム外被２０に接続され、内部に絶縁油５が充填されている。
【００１９】
上記ケーブル終端接続部は以上のような構成になっている。この終端接続部を形成する場合には、ケーブル端部１の導体露出部１０に圧縮等により導体引出棒１１を接続すると共に、ケーブル絶縁体２の外周に電界緩和用部材３を設けて端末処理をした後、ケーブル端部１のケーブル絶縁体２の外周に碍管４を被せ、碍管４内に絶縁油５を充填して密封処理を行って形成する。その後、碍管４をアダプタ１２を介してケース、フレーム等の取付部材１３に水平方向に固定することにより、ケーブル終端接続部を水平方向に横設する。
【００２０】
上記ケーブル終端接続部によると、前記電界緩和用部材３と碍管４との間にケーブル端部１の垂れ下がりを防止するスペーサ１４が設けられているので、ケーブル終端接続部が水平方向に横設される場合にも、前記スペーサ１４により、碍管４内において、ケーブル端部１がその自重及び電界緩和用部材の重量で下方に垂れ下がるのが拘束され、ケーブル端部１の中心軸が碍管の中心軸とほぼ同軸状に維持される。従って、電界緩和用部材３の外面が碍管４の内面にじかに接触せず、電界緩和用部材３がケーブル端部１の伸縮によって損傷しなくなり、ケーブル終端接続部が絶縁破壊に至るのを防止し、これを長期間安定して使用することができる。
【００２１】
なお、前記実施形態のケーブル終端接続部においては、碍管４内に絶縁油５が充填されるタイプの終端接続部について説明したが、碍管４内にガス（例えば、ＳＦ６ガス、窒素ガス、これらの混合ガス等の不活性ガス）が充填されるタイプの終端接続部にも適用できるものである。
【図面の簡単な説明】
【００２２】
【図１】本発明のケーブル終端接続部の一実施形態を示す上半部断面説明図である。
【図２】従来のケーブル終端接続部を示す右半部断面説明図である。
【符号の説明】
【００２３】
１      ケーブル端部
２      ケーブル絶縁体
３      電界緩和用部材
４      碍管
５      絶縁油
６      補強絶縁体
７      ベルマウス
８      遮蔽層
９      外部半導電層
１０    導体露出部
１１    導体引出棒
１２    アダプタ
１３    取付部材
１４    スペーサ
１５    シールドリング
１６    シールドリング
１７    ケーブル保護銅管
１８    連結銅管
１９    絶縁筒
２０    波付きアルミニウム外被
【図１】
2005117802.tif 000003
【図２】
2005117802.tif 000004